(57)【要約】【目的】  結婚時に親への感謝の気持ちが表現される感謝状ユニットを提供する。【構成】  矩形状の枠体１の中に半透明のペーパー上に感謝の文言と模様を表示した感謝状２を収納し、この感謝状２の裏側には染色した和紙３でバックアップして結婚時の花嫁、花婿の両親への感謝の心を表現し、前記枠体１には、感謝の文言を音声で発生する音声発生装置５を備えている。【選択図】  図１
2005219248.tif 000002
【特許請求の範囲】
【請求項１】
感謝の文書を記載したトレーシングペーパーと、このトレーシングペーパーの裏側に重ねられる染色した和紙と、これらトレーシングペーパーと和紙とを重ね合わせた状態で収納する枠体とからなる感謝状ユニット。
【請求項２】
前記トレーシングペーパー上には、ホワイトペンでデザイン画の輪郭を描き、このデザイン画にトレーシングペーパーの裏からパステルで色を載せ、前記和紙にはアクリル絵の具又は水彩絵の具で染色をしてある請求項１記載の感謝状ユニット。
【請求項３】
前記枠体には、感謝状を贈った人の声で感謝状の内容が発せられる音声発生装置が備えられている請求項１又は２記載の感謝状ユニット。
【請求項４】
前記枠体の裏面には、光触媒が付着されている請求項１乃至３のいずれかに記載の感謝状ユニット。
【発明の詳細な説明】
【技術分野】
【０００１】
本発明は、結婚式の披露宴等において花嫁、花婿から両親に贈られる感謝状を収納した感謝状ユニットに関する。
【背景技術】
【０００２】
一般に、日本の結婚式の披露宴においては、花嫁、花婿から両親に対して花束が贈られるが、そのときに花嫁、花婿からの感謝の言葉が贈られるのが一般的である。
【０００３】
そこで、本件発明者は、この感謝の言葉を書面として両親に手渡すことを思い付き、結婚時に両親に手渡すのに適切な感謝状を作成した。
【０００４】
一般的な表彰状、感謝状についての先行技術としては、被発行者乃至は発行者の写真を表示するものがある。
【特許文献１】実開昭５１−５７７２７号
【発明の開示】
【発明が解決しようとする課題】
【０００５】
上述の先行技術は、結婚披露宴時に花嫁、花婿から両親に贈った時に、思い出に残るようなデザインの工夫がなされておらず味気ないものである。
【課題を解決するための手段】
【０００６】
そこで、本発明は、感謝の文書を記載したトレーシングペーパーと、このトレーシングペーパーの裏側に重ねられる染色した和紙と、これらトレーシングペーパーと和紙とを重ね合わせた状態で収納する枠体とから構成した。
【０００７】
前記トレーシングペーパー上には、ホワイトペンでデザイン画の輪郭を描き、このデザイン画にトレーシングペーパーの裏からパステルで色を載せ、前記和紙にはアクリル絵の具又は水彩絵の具で染色をしてもよい。
【０００８】
更に、前記枠体には、感謝状を贈った人の声で感謝状の内容が発せられる音声発生装置が備えられていてもよく、前記枠体の裏面には、光触媒が付着されていてもよい。
【発明の効果】
【０００９】
請求項１において、トレーシングペーパーは半透明であり、染色した和紙が透けて見えるので淡い感じを引出すことができ、特に結婚時に両親への感謝の気持ちが切実に伝達できる。
【００１０】
更に、請求項２に示すように、トレーシングペーパーの上面のホワイトの輪郭線に加えてその裏側からパステルの色を付着すれば両者のバランスがとれ、感謝状のイメージをますことができる。
【００１１】
更に、また、請求項３に示すように音声発生装置を備えれば両親はいつでも花嫁、花婿の音声で感謝の言葉を聞くことができる。
【００１２】
更に、また、請求項４に示すように光触媒を枠体の裏面に付着すれば感謝状を飾った部屋の空気を清浄化できるとともにタバコの臭い等を有効に消すことができる。
【発明を実施するための最良の形態】
【００１３】
以下、図面を参照して本発明の実施形態について説明する。
【００１４】
図１および２において、本発明の感謝状ユニットＭは、矩形の枠体１を備え、この枠体１には感謝状２が着脱自在に収納されている。この感謝状２の前面には、透明ガラスｇ又は透明プラスチックが設けられ、感謝状２の裏面には染色した和紙３が重ねられ、更に必要に応じて硬質の基板４が和紙３の裏面に重ねられる。
【００１５】
前記感謝状２は半透明のトレーシングペーパーからなり、このトレーシングペーパー上にはその周囲に沿って模様表示部２ａが設けられ、この模様表示部２ａの一端側には、両親の氏名表示部２ｂが、その他端側には、花嫁、花婿の氏名表示部２ｃが、その中央部には感謝の文言表示部２ｄが設けられている。
【００１６】
前記模様表示部２ａにおいては、先ずトレーシングペーパーの表面にホワイトペンで模様の輪郭を描き、その裏面にパステルで模様の色をのせる。この際、線だけで模様のデザイン画を強調することなくパステルの色と一番バランスのよいホワイトを使用すると、模様としての花のやさしさを表現できる。
【００１７】
前記和紙３には、アクリル絵の具又は水彩絵の具で染色が施され、これをトレーシングペーパーに重ねると和紙が美しく色を通すため、色の明度が良好で、感謝状２の裏側から全体色としての淡い色感をかもし出す。特に、パール色、その中でもピンク色を和紙３に染色すると花模様を中心として全体的に優しさを表現できる。
【００１８】
前記枠体１の一つの隅部には、図１及び３に示すように音声発生装置５が設けられ、この音声発生装置５はデコーダ６を有し、このデコーダ６には、スイッチ７、バッテリー８、圧電スピーカ９およびメモリ１０が接続されている。前記メモリ１０には花嫁又は花婿の感謝状に記載された文言の音声が記憶されている。このメモリ１０は、別に設置した入力装置１１によって作成され、音声発生装置５に組み込まれる。前記入力装置１１は、例えば結婚式場に備えられ、ここで花嫁、花婿は感謝の言葉を入力する。前記入力装置１１はマイク１２と、マイク１２から入力された音声を符号化する符号化装置１３とからなり、これによってメモリ１０に音声が入力される。
【００１９】
なお、前記枠体１には、図３に示すようにバッテリー８を収納するバッテリー収納部１４とデコーダ５、メモリ１０、圧電スピーカ９等を収納する主部品収納部１５が設けられている。
【００２０】
また、感謝状ユニットＭの裏側には、図３に示すように背板１６が枠体１に回動自在に設けたクリップ１７、１７…１７によって着脱自在に取付けられており、この背板１６を外して感謝状２、和紙３、基板４等が枠体１内に収納される。
【００２１】
前記背板１６上には、光触媒を溶射した不織布１７が付着されており、不織布１７の代わりに光触媒の粒子を背板１６上に直接塗布してもよい。このように光触媒を付着した感謝状ユニットＭを部屋の壁にセットすれば、部屋の空気を洗浄化するばかりでなく、脱臭効果も発揮し、特にタバコの臭いも分解できる。
【００２２】
なお、上述の感謝状ユニットＭは、部屋の壁掛け用であるが、図５に示すようにユニットの後側に脚２０を設けて、プロマイド型式にしてもよい。
【００２３】
また、この感謝状ユニットは、父の日、母の日等の感謝日にも使用することができる。
【図面の簡単な説明】
【００２４】
【図１】本発明の感謝状ユニットの斜視図である。
【図２】図１の感謝状ユニット内に収納される核板状部品の積層状態図である。
【図３】感謝状ユニットの背面図である。
【図４】本発明の感謝状ユニットの枠体に組込まれる音声発生装置の構成図である。
【図５】本発明の他の実施例を示す感謝状ユニットの斜視図である。
【符号の説明】
【００２５】
Ｍ…感謝状ユニット
１…枠体
２…感謝状
３…和紙
５…音声発生装置
ｇ…透明ガラス
３…乾燥部
【図１】
2005219248.tif 000003
【図２】
2005219248.tif 000004
【図３】
2005219248.tif 000005
【図４】
2005219248.tif 000006
【図５】
2005219248.tif 000007